(57)【特許請求の範囲】
【請求項１】
透明な樹脂フィルムを成形して所望の物品を収納可能としたブリスタードームと、台紙とを有し、前記物品を収納した状態で前記ブリスタードームの周辺部を台紙にシールして封緘するブリスター容器であって、ブリスタードームには自立するための凸部を前記ブリスタードーム下部に備えたブリスター容器において、
前記凸部には、底部に物品側に上方に向けて凹ませて底上げした部分を設け、
前記凸部周囲にシール部を設け、
前記凸部周囲の下方部はシールせず、側部および上部のみにシール部を設けて、
ブリスター容器が前記凸部によって自立しているときに前記底上げした部分で物品を支えることができるようにし、
前記シール部は、凸部の側部から上部に回りこませるように、物品の近辺まで凸部の左右にカギ型に形成したことを特徴とするブリスター容器。
【発明の詳細な説明】
【技術分野】
【０００１】
本発明はブリスター容器に関する。
【背景技術】
【０００２】
従来、ヒートシール式のブリスター容器（ブリスターパック）において、ブリスター容器によって物品（液体薬品や液体化粧料等を容器内に収容した容器物品等）をパッケージした各種商品を店頭で陳列したり、梱包箱内に収容したりする場合に、ブリスター容器の取り扱い性の向上から、自立できる構造（スタンディングタイプのブリスター容器）が要請される。
【０００３】
自立できる構造として、物品を内部に収容する膨出した部分（ブリスタードーム）下部に脚部を設けることが案出されている。脚部は例えば自立可能な底面積をもった出っ張りになる。ブリスター容器において、脚部を設けた技術は特開平９−２２１１７０号（特許文献１）、特開２００３−５４６２９号（特許文献２）、特開２００７−１３７４４３号（特許文献３）、特開２００８−１８９６４号（特許文献４）、特開２００９−１７３３４３号（特許文献５）等に開示されている。
【０００４】
ここで、ブリスター容器を自立させるにあたって、自立安定性を保つために内包する容器の位置を最下部に近づけて重心を低く設計する必要がある。
【０００５】
重心を低くするため、内包する物品を最下部まで下げた配置にして落下衝撃が直接内包の容器物品に伝わってしまい、容器が破損する可能性がある。そのため、内包容器を最下部にしないために、底上げが必要になる。
【０００６】
ブリスター容器の底上げについては成型形状が深絞りにならない程度に設計する必要がある。
【０００７】
成型金型形状を深絞りにすると樹脂原反の肉厚が薄くなり（一般的に原反厚３００〜４００μｍで深絞りした場合１０μｍ程度まで薄くなるケースもある）強度的な低下が起こる他、ヒートシールの圧着面圧が不均一のためシール不良等を発生する。
【０００８】
また、脚部の一部を下駄形状にしヒートシール可能な形状に設計した場合、深絞りとなることが多い。深絞りを回避するために脚部のさらに下をヒートシールするためのフランジ部分を設けると、ブリスター容器の自立時、前傾がきつくなり過ぎて自立できなくなる。
【０００９】
したがって、従来のスタンディングタイプのブリスター容器の脚部に有効なシールをすることはできなかった。
【００１０】
従来は、上述のように、脚部にシールが施されない場合、ドームと台紙の間に隙間を生じ、ブリスター容器の気密性が保てないため、内包する物品へのいたずら防止、内包物品の脱落防止、汚損防止などに不都合を生じる。
【先行技術文献】
【特許文献】
【００１１】
【特許文献１】特開平９−２２１１７０号
【特許文献２】特開２００３−５４６２９号
【特許文献３】特開２００７−１３７４４３号
【特許文献４】特開２００８−１８９６４号
【特許文献５】特開２００９−１７３３４３号
【発明の概要】
【発明が解決しようとする課題】
【００１２】
本発明は、上記の実情に鑑み、スタンディングタイプのブリスター容器において自立のため設けた脚部周辺の形状制約による内包する物品の品質保護機能を確保できるブリスター容器を提供するものである。
【課題を解決するための手段】
【００１３】
本発明は、透明な樹脂フィルムを成形して所望の物品を収納可能としたブリスタードームと、台紙とを有し、前記物品を収納した状態で前記ブリスタードームの周辺部を台紙にシールして封緘するブリスター容器であって、ブリスタードームには自立するための凸部を前記ブリスタードーム下部に備えたブリスター容器において、
前記凸部には、底部に物品側に上方に向けて凹ませて底上げした部分を設け、
前記凸部周囲にシール部を設け、
前記凸部周囲の下方部はシールせず、側部および上部のみにシール部を設けて、
ブリスター容器が前記凸部によって自立しているときに前記底上げした部分で物品を支えることができるようにし、
前記シール部は、凸部の側部から上部に回りこませるように、物品の近辺まで凸部の左右にカギ型に形成したことを特徴とするブリスター容器である。
【発明の効果】
【００１６】
本発明のブリスター容器によれば、ブリスタードームには自立するための凸部を前記ブリスタードーム下部に備えたブリスター容器であって、前記凸部には、底部に物品側に上方に向けて底上げした部分を設けたので、凸部で自立している時に、前記底上げした部分で物品を支えることができ、ブリスター容器に衝撃が加わっても、物品に衝撃が伝わりにくく、物品の保護が確実にできる。
【００１７】
また、凸部周囲にシール部を設けるので、凸部の密着性が向上し、ブリスタードームの底部に台紙との間に隙間ができないので、物品に対するいたずら防止、包装された物品の脱落防止、汚損防止が確実にできる。
【００１８】
また、凸部周囲の下方部はシールせず、側部および上部のみにシール部を設けて、凸部の下方のシール部形成による自立阻害を防止できる。
【図面の簡単な説明】
【００１９】
【図１】本発明の実施形態に係るブリスター容器の正面から見た説明図である。
【図２】図１のブリスター容器をブリスタードームと台紙とを分けた状態で、側面から見た説明図である。
【図３】図１のブリスター容器の斜視説明図である。
【図４】（ａ）は図１のブリスター容器、（ｂ）は比較例のブリスター容器を示し、それぞれ凸部を側方から押した場合を比較して示す説明図である。
【発明を実施するための形態】
【００２０】
以下、本発明の実施の形態について添付図面を参照して説明する。
【００２１】
図１〜図３は、本発明の実施形態に係るブリスター容器の構成の説明図、図４（ａ）、（ｂ）は図１のブリスター容器と比較例のブリスター容器を比較して示す説明図である。
【００２２】
図１〜図２に示すように、実施形態に係るブリスター容器は、透明な樹脂フィルムを成形して所望の物品１０を収納可能としたブリスタードーム１２と、台紙１４とを有し、前記物品１０を収容部１２ａに収納した状態で前記ブリスタードーム１２の周辺部１２ｂを台紙１４にシール部１８によってシールして封緘するブリスター容器である。
【００２３】
図１、図３に示すように、実施形態に係るブリスター容器は、上下方向に縦長の物品（プッシュ式の噴霧容器等の概略円柱状）１０を収容部１２ａ内に収容する。収容部１２ａは該物品１０の外周に合わせて膨出している。そして、収容部１２ａ内で安定的に物品１０を支持するため、物品１０側に向けて凹む部分１２ａ１で物品１０を挟持し、また、外側に膨らむ膨出部１２ａ２で強度を増ししている。
【００２４】
図２に示すように、ブリスタードーム１２の周辺部１２ｂで、台紙１４に貼付けている。物品１０周囲の中央部は張り付けず、周辺部１２ｂを主に張り付けるようにしている。
【００２５】
なお、ブリスタードーム１２の樹脂は、Ａ−ＰＥＴやＰＥＴＧなどのＰＥＴ系樹脂、ＰＰ、ＰＳ、ＰＶＣなどがあげられるがこれらに限られるものではない。
また、台紙１４は紙または、樹脂からなるものや、樹脂および紙の積層シート等を用いることができる。
【００２６】
前記ブリスタードーム１２には自立するための凸部１６を前記ブリスタードーム１２下部に備えている。ブリスタードーム１２は、その収容部１２ａが物品１０の長さ方向に長い概略半円筒形状に形成されており、凸部１６は、収容部１２ａに連続してブリスタードーム１２の下端部にブリスタードーム１２の膨出方向（台紙垂直方向）に突出する直方体形状に形成されている。凸部１６はその下端部が台紙１４の下端部に一致またはほぼ一致する位置に形成されており、凸部１６および台紙１４下端部を机上等の載置面に接しさせてブリスター容器が自立できる構成に形成されている。
【００２７】
前記凸部２６には、その底部に物品１０側に上方に向けて凹ませて底上げした部分１６ａを設けたものである。
【００２８】
また、ブリースタードーム１２では、その収容部１２ａに間隔をおいて周辺部１２ｂ（台紙１４の周縁部でもある）にシール部１８を設けると共に、凸部１６周囲に該凸部に隣接してシール部１８を設けている。また、凸部１６周囲の下方部はシールせず、側部および上部のみにシール部１８を設けている。シール部１８は溶着や接着によって形成できる。
【００２９】
前記シール部１８は、凸部１６の側部から上部に回りこませるように、物品１０の近辺まで凸部１６の左右にカギ型１８ａに形成されている。
【００３０】
実施形態のブリスター容器によれば、ブリスタードーム１２には自立するための凸部１６を前記ブリスタードーム１２下部に備えたブリスター容器であって、前記凸部１６には、底部に物品１０側に上方に向けて底上げした部分１６ａを設けたので、凸部１６で自立している時に、前記底上げした部分１６ａで物品１０を支えることができ、ブリスター容器に衝撃が加わっても、物品１０に衝撃が伝わりにくく、物品１０の保護が確実にできる。
【００３１】
また、凸部１６周囲に側部および上部に隣接してシール部１８を設けるので、凸部１６の密着性が向上し、ブリスタードーム１２の底部に台紙１４との間に隙間ができないので、物品１０に対するいたずら防止、包装された物品１０の脱落防止、汚損防止が確実にできる。
【００３２】
図４（ａ）と（ｂ）に実施形態と比較例のブリスター容器の凸部１６を左右から押圧した場合の状態を示す。
図４（ａ）に示す実施形態ではシール部１８が凸部１６の側部から上部に周り込んで、封緘しているので例え左右方向から力Ｐを加えてもブリスター回りに隙間が生じない。
また、凸部１６には底上げした部分１６ａを形成しているので、ボトル等の物品が直に凸部１６の底側に接していないで、落下によっても物品が床に衝撃を受けず、容器等の物品の破損が生じない。
【００３３】
これに対して、図４（ｂ）に示す比較例では凸部１６の上部はシール部１８で封緘していないので、左右方向から力Ｐを加えるとブリスター回りに隙間が生じることが確認された。また、凸部１６には底上げした部分を形成していないので、ボトル等の物品が直に凸部１６の底側に接するので、落下によって物品が床面等で衝撃を受けて、物品の破損が生じるおそれがある。
したがって、本発明のブリスター容器は従来のものに比較してシール性が高く、かつ内容物の物品の保護性が高いことが理解される。
【００３４】
なお、凸部１６周囲の下方部はシールせず、側部および上部のみにシール部１８を設けるので、凸部１６の下方にシール部１８を形成した場合に自立性が阻害されるが、本発明では、そのような自立性阻害を確実に防止できる。
【産業上の利用可能性】
【００３５】
本発明のブリスター容器は、液状薬剤、液状化粧品、各種接着剤等液体製品容器を包装する容器に利用することができる。
【符号の説明】
【００３６】
１０  物品
１２  ブリスタードーム
１２ａ  ブリスタードームの収容部
１２ａ１  収容部の凹む部分
１２ａ２  収容部の膨出部
１２ｂ  ブリスタードームの周辺部
１４  台紙
１６  凸部
１６ａ  底上げした部分
１８  シール部
１８ａ  シール部のカギ型部分
【図１】
0005566132.tif 000002
【図２】
0005566132.tif 000003
【図３】
0005566132.tif 000004
【図４】
0005566132.tif 000005